(57)【要約】【課題】  従来の開閉器内部の構造を維持したまま、指針が指し示す向きを外部から修正することを可能にする開閉表示機構を手供する。【解決手段】  開閉器が有する開閉表示機構１であって、開閉器外に突設され、投入及び開放に連動して回転する回転軸心５と、指す向きにより開又は閉の状態を開閉器外に示す指針７と、開閉器外において回転軸心５に固定する回転台８を備え、回転軸心７は、指針７及び回転台８を挿通し、指針７と回転台８は、投入とも開放とも独立に回転軸心５を中心に回転可能であり、投入とも開放とも独立に回転された状態を維持して指針７及び回転台８を固定することにより、指針７が指す向きが調整可能である。【選択図】図１
0003174005.tif 000002
【実用新案登録請求の範囲】
【請求項１】
開閉器が有する開閉表示機構であって、
前記開閉器外に突設され、投入及び開放に連動して回転する回転軸心と、
前記開閉器外において前記回転軸心と共に回転し、指す向きにより開又は閉の状態を前記開閉器外に示す指針部を備え、
前記回転軸心は、前記指針部を挿通し、
前記指針部は、投入とも開放とも独立に前記回転軸心を中心に回転させてその状態を固定させることも可能であり、投入とも開放とも独立に回転された状態を維持して前記回転軸心と共に回転することにより、当該指針部が指す向きが調整される、開閉表示機構。
【請求項２】
前記指針部を投入とも開放とも独立に回転可能な角度は、前記回転軸心が状態の変化に応じて回転する角度の半分以下に限定されている、請求項１記載の開閉表示機構。
【考案の詳細な説明】
【技術分野】
【０００１】
本考案は、開閉器が有する開閉表示機構に関するものである。
【背景技術】
【０００２】
開閉器は、例えば、電柱にとりつけられ、配電線路を開閉する柱上開閉器である。このような開閉器は、外部に開状態（電力供給を禁止する状態）であるか閉状態（電力供給を許可する状態）であるかを示す開閉表示機構を有する。以下、開閉器が開状態から閉状態になったことを「投入」といい、閉状態から開状態になったことを「開放」という。このような開閉表示機構は、一般的に、「入」「切」のような文字が表記された表示板と、それらの文字のいずれか一方を指し示す指針による（特許文献１参照）。
【０００３】
図３は、従来の開閉表示機構１０１を示す図である。指針１０５は、回転軸心１０７と共に回転して、第１表示１１１（「入」）又は第２表示１１３（「切」）を指し示す。図３にあるように、開閉器の指針の向きは、誤差が生じるのが通常である。以前は、このような開閉器の指針の向きの調整は、開閉器内部に調整機構を設けて行っていた。しかしながら、開閉器の表示は、例えば電柱等にとりつけられた場合、人間が、柱下から離れて見るものである。そのため、開閉器が開状態か閉状態かが分かれば足りるとして、このような誤差が黙認されるようになった。さらに、コスト面等からも検討されるようになり、このような調整機構は、開閉器から構造的に省略されるようになった。
【０００４】
図４は、従来の開閉表示機構の構成を示す図である。指針１０５は、回転軸心１０７に固定されて回転軸心１０７と共に回転する。具体的には、指針１０５は、表示板１０３に略垂直な方向に軸心孔１１７を有する。回転軸心１０７は、この軸心孔１１７を貫通する。回転軸心７は、軸心孔１２１を有する。指針１０５も軸心孔１２３１及び１２３２を有する。固定軸心１２５が表示板１０３と略平行な方向に軸心孔１２３１、１２１及び１２３２を順に貫通して、指針１０５を回転軸心１０７に固定する。固定軸心１２５は、留め具孔１２７１及び１２７２を有し、留め具１２９１及び１２９２により軸心孔１２３１、１２１及び１２３２から外れないように固定される。
【先行技術文献】
【特許文献】
【０００５】
【特許文献１】特開２００７−４８５６１号公報
【考案の概要】
【考案が解決しようとする課題】
【０００６】
近年、人的判断ミスの可能性が重要視されるようになり、人的判断ミスを発生させる要因について対策を要求される顧客ニーズが高まってきた。しかしながら、指針の向きを修正する調整機構を開閉器の内部に組み込むようにすれば、開閉機内部の構造を大幅に変更する必要がある。
【０００７】
そこで、本考案は、従来の開閉器内部の構造を維持したまま、指針が指し示す向きを外部から修正することを可能にする開閉表示機構を提供することを目的とする。
【課題を解決するための手段】
【０００８】
本考案の第１の観点は、開閉器が有する開閉表示機構であって、前記開閉器外に突設され、投入及び開放に連動して回転する回転軸心と、前記開閉器外において前記回転軸心と共に回転し、指す向きにより開又は閉の状態を前記開閉器外に示す指針部を備え、前記回転軸心は、前記指針部を挿通し、前記指針部は、投入とも開放とも独立に前記回転軸心を中心に回転させてその状態を固定させることも可能であり、投入とも開放とも独立に回転された状態を維持して前記回転軸心と共に回転することにより、当該指針部が指す向きが調整されるものである。
【０００９】
本考案の第２の観点は、第１の観点の開閉表示機構であって、前記指針部を投入とも開放とも独立に回転可能な角度は、前記回転軸心が状態の変化に応じて回転する角度の半分以下に限定されているものである。
【考案の効果】
【００１０】
本考案の各観点によれば、開閉器への回転軸心の取り付けなどを原因として、指針部が、本来指し示すべき向きからずれた向きを指し示すような場合であっても、指針部を、開閉器外において、回転軸心を中心に回転させて、その向きを調整することにより、開閉器内部の構造を変更することなく、指針部が指し示す向きを開閉器の外部から調整することが可能となる。さらに、外部から直接調整することにより、表示状態をそのまま見ながら調整することも容易になり、指針部の表示のずれを容易に修正することが容易になる。
【００１１】
また、本考案の第２の観点では、指針部における調整可能な角度を、回転軸心が回転する角度の半分以下に制限する。指針部が本来指し示すべき方向からずれるとしても、通常、ほとんど誤差はなく、回転軸心の回転により、開状態か閉状態かは区別できる程度である。そのため、仮に指針部による調整が回転軸心の回転角度の半分以上となれば、回転軸心による回転での開状態か閉状態かの区別を維持できなくなる危険性がある。本考案の第２の観点では、指針部による調整を、回転軸心による投入状態と開放状態との区別が維持可能な範囲に限定することにより、開閉器が有する表示装置にとって重要な、開状態と閉状態の区別の維持を実現することが可能になる。
【図面の簡単な説明】
【００１２】
【図１】本考案の実施例に係る開閉表示機構３における指針７が指し示す向きの調整を示す図である。
【図２】本考案の実施例に係る開閉表示機構の具体的な構成例を示す図である。
【図３】従来の開閉表示機構を示す図である。
【図４】従来の開閉表示機構の具体的な構成例を示す図である。
【考案を実施するための形態】
【００１３】
以下、図面を参照して本考案の実施例について説明する。なお、本考案の実施の形態は、本実施例に限定されるものではない。
【実施例】
【００１４】
まず、図１を参照して、本考案の実施例に係る開閉表示機構の概要を述べる。図１を参照して、開閉表示機構１（本願請求項の「開閉表示機構」の一例）は、電柱の柱上開閉器（本願請求項の「開閉器」の一例）が有する開閉表示機構である。開閉表示機構１は、表示板３と、回転軸心５（本願請求項の「回転軸心」の一例）と、指針７と、回転台８（指針７と回転台８を併せたものが本願請求項の「指針部」の一例）を備える。
【００１５】
表示板３は、「入」と記された第１表示１１及び「切」と記された第２表示１３を有する。第１表示１１は、指針７が指し示すことにより、柱上開閉器が閉状態であることを示す。第２表示１３は、指針７が指し示すことにより、柱上開閉器が開状態であることを示す。以下では、第１表示１１と回転軸心５の回転軸と第２表示１３がなす角の角度を「表示角度」という。
【００１６】
回転軸心５は、開閉器外に突設され、投入及び開放に連動して表示角度の回転運動をする。すなわち、開状態から閉状態になる（投入）と第２表示を示すための角度から第１表示を示すための角度へと表示角度分だけ回転運動をし、閉状態から開状態になる（開放）と第１表示を示すための角度から第２表示を示すための角度へと表示角度分だけ回転運動をする。
【００１７】
回転台８は、開閉器外において、回転軸心５に固定されている。
【００１８】
指針７は、理想的には、第１表示１１を指し示す位置と第２表示１３を指し示す位置との間で回転することが好ましい。しかしながら、取り付けなどにより、一般的に誤差が生じる（図３参照）。
【００１９】
本実施例では、指針７に、調整孔９1及び９2が設けられている。調整孔９1及び９2は、指針７と回転台８とを、回転軸心５を中心に相対的に回転させてねじで固定するためのものである。これにより、回転軸心５の回転とは別に、指針７と回転台８とを相対的に回転させて固定することができる。以下、指針７と回転台８の相対的な回転の角度を「調整角度」という。すなわち、指針７は、開閉器外において、回転軸心５の回転運動による第１表示１１又は第２表示１３の表示の変更とは別に、回転台８との間の相対的な回転及びその固定により、指し示す向きのずれを修正することが可能である。
【００２０】
開閉表示機構１にとって重要なのは、回転軸心５の回転による開閉器の開状態又は閉状態の表示である。図３の誤差は、通常、このような表示を間違わせるものではない。そのため、調整孔９1及び９2による調整は、回転軸心５の回転による開閉器の開状態又は閉状態の表示が誤ったものになることを避ける必要がある。例えば、図１のように第１表示１１と第２表示１３が鉛直方向に並ぶ場合に、重力によって、第１表示１１を指すべきところを、第２表示１３を指すこととなるような事態は避けなければならない。調整角度は、回転角度の半分以内であれば、このような誤表示を避けることができる。よって、本実施例では、調整角度の最大値は、回転角度の半分以下に限定されている。実際には、例えば、回転角度を７０度とし、最大の調整角度を時計回りと反時計回りにそれぞれ１３度以内（合計で２６度以内）などとすればよい。このように最大の調整角度の制限を設けることにより、回転軸心５による開閉表示のデジタル性を維持することができる。
【００２１】
続いて、図２を参照して、本実施例に係る調整機構の構成について具体的に述べる。
【００２２】
指針７及び回転台８は、それぞれ、表示板３に略垂直な方向に軸心孔１７及び１９を有する。回転軸心５は、この軸心孔１７及び１９を貫通する（すなわち、回転軸心５は、指針７及び回転台８を挿通する）。回転軸心５は、表示板３に垂直な軸で回転運動を行う。
【００２３】
回転台８は、回転軸心５に固定されて回転軸心５と共に回転する。具体的な構造としては、回転軸心５は、軸心孔２１を有する。回転台８も、軸心孔２３１及び２３２を有する。固定軸心２５は、表示板３と略平行な方向に軸心孔２３１、２１及び２３２を順に貫通して、回転台８を回転軸心５に固定する。固定軸心２５は、留め具孔２７１及び２７２を有し、留め具２９１及び２９２により軸心孔２３１、２１及び２３２から外れないように固定される。
【００２４】
図２の回転軸心５及び軸心孔２１は、図４の従来の開閉表示機構の回転軸心１０７及び軸心孔１２１を利用することができる。そのため、従来の開閉器の内部及び回転軸心を変更することなく、回転軸心５に指針７及び回転台８を固定することが可能である。
【００２５】
指針７は、回転台８に対して回転角度が微調整される。具体的な構造としては、指針７は、表示板３に略垂直な方向の調整孔３１１及び３１２を有する。回転台８は、同じく表示板３に略垂直な方向のねじ孔３３１及び３３２を有する。ねじ３５１をワッシャー３７１、調整孔３１１、ねじ孔３３１の順に貫通させて締めることで、指針７が回転台８に固定される。ここで、調整孔３１１及び３１２は、孔の形状が円ではなく、軸心孔１７を中心とする円の円弧方向に孔が延びた形状をしている。この形状により、表示板３と平行な平面内で回転軸心５を中心として一定の角度内で指針７の回転を許容する。このため、最大の調整角度は、制限されることとなる。
【符号の説明】
【００２６】
１・・・開閉表示機構、３・・・表示板、５・・・回転軸心、７・・・指針、８・・・回転台、９１及び９２・・・調整孔、１１・・・第１表示、１３・・・第２表示、１７及び１９・・・軸心孔、３１１及び３１２・・・調整孔、３３１及び３３２・・・ねじ孔、３５１・・・ねじ、３７１・・・ワッシャー
【図１】
0003174005.tif 000003
【図２】
0003174005.tif 000004
【図３】
0003174005.tif 000005
【図４】
0003174005.tif 000006